(57)【特許請求の範囲】
【請求項１】
化粧室を仕切る化粧室躯体を備え、
前記化粧室躯体は、出入口が形成された正面壁と、前記出入口を開閉するドアとを有し、
前記ドアは、前記出入口の幅方向の端部に位置する前記化粧室躯体の部分に揺動可能に連結された第１分割体と、前記第１分割体の幅方向の端部に揺動可能に結合された第２分割体とで構成され、
前記第１分割体と第２分割体は、前記化粧室の外側で前記正面壁から離れる方向を前方としたとき、前記出入口を閉塞した状態で、前記ドアの幅方向の中央部が幅方向の両端部よりも前方に位置するように鉛直方向に延在する中心軸を中心とした円筒面状に形成され、
前記正面壁は、前記出入口の幅方向の一方側に位置し上下に延在する第１壁部と、前記出入口の幅方向の他方側に位置し前記第１壁部よりも大きい幅で上下に延在する平坦な第２壁部とを有し、
前記第１分割体が、前記出入口の幅方向の端部に位置する前記化粧室躯体の部分に揺動可能に連結される箇所は、前記第１壁部が前記出入口に臨む箇所であり、
前記化粧室躯体は、前記出入口と反対に位置する前記第１壁部の幅方向の端部に直角に繋がる側面壁を有し、
前記第１分割体と前記第２分割体は、前記出入口の閉塞状態で前記化粧室内に臨む内面と化粧室の外側に臨む外面をそれぞれ有し、
前記第１分割体が連結された箇所と反対に位置する前記第２分割体の幅方向の端部寄りの内面の箇所に、化粧室内からドアを開くためのハンドルが設けられ、
前記第２分割体の幅は、前記第１分割体の幅よりも大きく、
前記出入口の開放状態は、前記第２分割体に連結された前記第1分割体の部分が、前記第１壁部に連結された前記第1分割体の部分の前方に変位し、前記第２分割体の内面が、前記第１分割体の内面に向かい合って近づくことで形成され、
前記出入口の開放状態で前記ハンドルに当接可能な弾性体が前記側面壁に設けられている、
ことを特徴とする化粧室ユニット。
【請求項２】
前記ドアにより前記出入口を閉塞した状態で、前記第１壁部の内面と前記ドアの内面と前記第２壁部の内面により前記化粧室内の正面が構成され、前記第１壁部の外面と前記ドアの外面と前記第２壁部の外面とにより前記化粧室ユニットの正面が構成されている、
ことを特徴とする請求項１記載の化粧室ユニット。
【請求項３】
前記化粧室躯体は、前記出入口と反対に位置する前記第２壁部の幅方向の端部に直角に繋がる側面壁を有し、
前記側面壁の内面で前記第２壁部寄りの箇所に、洗面台と、この洗面台の上方に鏡が設けられている、
ことを特徴とする請求項１記載の化粧室ユニット。
【請求項４】
前記化粧室躯体は、底面壁と上面壁とを有し、
それら底面壁と上面壁は、平面視した場合に、前記正面壁の前縁に合致した前縁と、前記出入口を閉塞した前記ドアに対応した形状の、幅方向の中央部が幅方向の両端部よりも前記前縁の前方に突出する円弧部とを有している、
ことを特徴とする請求項１記載の化粧室ユニット。
【請求項５】
前記第２分割体の幅は、前記第１分割体の幅の約２倍である、
ことを特徴とする請求項１記載の化粧室ユニット。
【請求項６】
前記第１壁部と前記第２壁部は、前記化粧室内に臨む内面と前記化粧室の外側に臨む外面をそれぞれ有し、
前記ドアにより前記出入口を閉塞した状態で、前記第１壁部の外面と前記ドアの外面と前記第２壁部の外面とにより前記化粧室ユニットの正面が構成され、
前記ドアの幅は、前記正面の幅の６割程度を占めている、
ことを特徴とする請求項１記載の化粧室ユニット。
【発明の詳細な説明】
【技術分野】
【０００１】
本発明は化粧室ユニットに関し、より詳細には、航空機の機内に設置されて好適な化粧室ユニットに関する。
【背景技術】
【０００２】
航空機の機内には、多数の座席が並べられた座席群が機体の前後方向に沿って複数配置されており、航空機用の化粧室ユニットは、それら座席群の間のスペースに配置される場合が多い。
元来、航空機の機内は限られた狭いスペースであり、そのスペースに設置される化粧室ユニットもコンパクト化が要請されている。
そして、出入口をドアで閉塞した状態の化粧室ユニットの正面は、従来、平坦な平面として形成されている。
【特許文献１】特開２００２−１５４４８９
【特許文献２】特開平６−４０３９９
【発明の開示】
【発明が解決しようとする課題】
【０００３】
したがって、化粧室ユニットの内部の化粧室も必要最低限のスペースしかなく、化粧室に入った人は、化粧室内部が狭いと感じざるを与えざるを得ない。
本発明は前記事情に鑑み案出されたものであって、本発明の目的は、大型化を最小限に抑制しつつ化粧室内の狭い感じを緩和できる化粧室ユニットを提供することにある。
【課題を解決するための手段】
【０００４】
前記目的を達成するため本発明の化粧室ユニットは、化粧室を仕切る化粧室躯体を備え、前記化粧室躯体は、出入口が形成された正面壁と、前記出入口を開閉するドアとを有し、前記ドアは、前記出入口の幅方向の端部に位置する前記化粧室躯体の部分に揺動可能に連結された第１分割体と、前記第１分割体の幅方向の端部に揺動可能に結合された第２分割体とで構成され、前記第１分割体と第２分割体は、前記化粧室の外側で前記正面壁から離れる方向を前方としたとき、前記出入口を閉塞した状態で、前記ドアの幅方向の中央部が幅方向の両端部よりも前方に位置するように鉛直方向に延在する中心軸を中心とした円筒面状に形成され、前記正面壁は、前記出入口の幅方向の一方側に位置し上下に延在する第１壁部と、前記出入口の幅方向の他方側に位置し前記第１壁部よりも大きい幅で上下に延在する平坦な第２壁部とを有し、前記第１分割体が、前記出入口の幅方向の端部に位置する前記化粧室躯体の部分に揺動可能に連結される箇所は、前記第１壁部が前記出入口に臨む箇所であり、前記化粧室躯体は、前記出入口と反対に位置する前記第１壁部の幅方向の端部に直角に繋がる側面壁を有し、前記第１分割体と前記第２分割体は、前記出入口の閉塞状態で前記化粧室内に臨む内面と化粧室の外側に臨む外面をそれぞれ有し、前記第１分割体が連結された箇所と反対に位置する前記第２分割体の幅方向の端部寄りの内面の箇所に、化粧室内からドアを開くためのハンドルが設けられ、前記第２分割体の幅は、前記第１分割体の幅よりも大きく、前記出入口の開放状態は、前記第２分割体に連結された前記第1分割体の部分が、前記第１壁部に連結された前記第1分割体の部分の前方に変位し、前記第２分割体の内面が、前記第１分割体の内面に向かい合って近づくことで形成され、前記出入口の開放状態で前記ハンドルに当接可能な弾性体が前記側面壁に設けられていることを特徴とする。
【発明の効果】
【０００５】
本発明では、ドアが化粧室の外側に凸状の円筒面であることから、ドアが平坦な従来の化粧室に、ドアの内側で上下に延在する円弧状のスペースが加えられることになり、化粧室内部が狭いという感じを緩和させることができる。
また、本発明では、従来の平坦なドアに比べて本発明ではドアが突出するものの、幅方向の中央部が緩やかに突出する円筒面状であるため、ドア付近を通る人に圧迫感を与えることがない。
また、本発明では、化粧室ユニットが設置される場所により化粧室ユニットの正面の前方が狭いスペースとなっていた場合でも、ドアは円筒面状であることから、ドアに接触したとしてもドアに突っかかることなくスムーズに通り抜けることができる。
【発明を実施するための最良の形態】
【０００６】
以下、本発明の化粧室ユニットを、航空機の機内に設置される航空機用化粧室に適用した実施の形態について図面にしたがって説明する。
図１は出入口が閉塞された状態の化粧室ユニットの斜視図、図２は出入口が開放された状態の化粧室ユニットの斜視図、図３は出入口が閉塞された状態の出入口部分の平面図、図４は出入口が開放された状態の出入口部分の平面図、図５は出入口が閉塞された状態の化粧室ユニットの平面図を示す。
【０００７】
化粧室ユニット１０は、化粧室１２を機内から仕切る化粧室躯体１４を備えている。
化粧室躯体１４は、底面壁１６と、照明器具などが取着される上面壁１８と、出入口２０が形成された正面壁２２と、互いに対向する第１、第２側面壁２４、２６と、正面壁２２に対向する背面壁２８と、出入口２０を開閉するドア３０などを有している。
【０００８】
出入口２０は、正面壁２２の第１側面壁２４寄りに位置している。
背面壁２８の前方に便器３２が設けられ、便器３２は、第１側面壁２４寄りに位置し、出入口２０に対向している。
第１側面壁２４の内面で第２壁部寄りの箇所に洗面台３４、給水栓３６が設けられ、それらの上方の箇所に鏡３８が設けられている。
したがって、ドア３０の内側で洗面台３４の前方が化粧室使用者が起立できるスペースとなっている。
底面壁１６と上面壁１８は、平面視した場合に、正面壁２２の前縁に合致した前縁１６０２、１８０２と、出入口２０を閉塞したドア３０に対応した形状の、幅方向の中央部が幅方向の両端部よりも前縁の前方に突出する円弧部１６０４、１８０４とを有している。
第１側面壁２４の内面には、出入口２０の開放状態でドア３０のハンドル４０に当接可能な弾性体４２が設けられている。この弾性体４２は、ドア３０を急激に開けた際に、ドア３０と第１側面壁２４との衝突を防止するものである。
【０００９】
正面壁２２は、出入口２０の幅方向の一方側に位置し上下に延在する第１壁部５０と、出入口２０の幅方向の他方側に位置し第１壁部５０よりも大きい幅で上下に延在する平坦な第２壁部５２とを有している。
出入口２０と反対に位置する第１壁部５０の幅方向の端部には第１側面壁２４が直角に繋がっており、出入口２０と反対に位置する第２壁部５２の幅方向の端部に第２側面壁２６が直角に繋がっている。
第１壁部５０と第２壁部５２は、化粧室１２内に臨む内面と化粧室１２の外側に臨む外面をそれぞれ有している。
【００１０】
ドア３０は、出入口２０の幅方向の端部に位置する第１壁部５０の部分に揺動可能に連結された第１分割体５４と、第１分割体５４の幅方向の端部に揺動可能に結合された第２分割体５６とで構成されている。
第１分割体５４、第２分割体５６の内面は、出入口２０の閉塞状態で化粧室１２に臨む面であり、第１分割体５４、第２分割体５６の外面は化粧室１２の外側に臨む面である。
第１分割体５４と第２分割体５６は、出入口２０を閉塞した状態で、ドア３０の幅方向の中央部が幅方向の両端部よりも正面壁２２の前方に位置するように鉛直方向に延在する中心軸を中心とした円筒面状に形成されている。
出入口２０の開放状態は、第２分割体５６に連結された第1分割体５４の部分が、第１壁部５０に連結された第1分割体５４の部分の前方に変位し、第２分割体５６の内面が、第１分割体５４の内面に向かい合って近づくことで形成される（外折れ式）。
なお、第１分割体５４が第１壁部５０に揺動可能に結合される箇所や、第１分割体５４と第２分割体５６が揺動可能に結合される箇所には、従来と同様に、従来公知の様々なヒンジやシール材などが用いられ、また、第２分割体５６の自由端（出入口２０の閉塞状態で第２壁部５２に合わされる箇所）には、従来公知の様々なシール材が用いられ、出入口２０の閉塞状態で、第１分割体５４が第１壁部５０に揺動可能に結合される箇所、第１分割体５４と第２分割体５６が揺動可能に結合される箇所がそれぞれシール材により閉塞され、また、第２分割体５６の自由端と第２壁部５２との間もシール材により閉塞される。
【００１１】
第２分割体５６の幅は、第１分割体５４の幅よりも大きく、本実施の形態では、第２分割体５６の幅は、第１分割体５４の幅の約２倍である。
化粧室１２内からドア３０を開くためのハンドル４０や、ドア３０の閉塞状態をロックするロック機構は、第１分割体５４が連結された箇所と反対に位置する第２分割体５６の幅方向の端部（自由端）寄りの内面の箇所に設けられている。
ロック機構は、例えば、ロック部材をスライドさせるスライド式のものや、フックを９０度回転させる回転式のものなど従来公知の様々な構造が採用可能であり、ロックされると第２分割体５６の外面の表示部５８に使用中である旨の表示がなされ、ロックが開放されると使用可である旨の表示がなされる。
【００１２】
出入口２０を閉塞した状態からドア３０を開く場合には、第２分割体５６の自由端（出入口２０の閉塞状態で第２壁部５２に合わされる箇所）を押せばよく、あるいは、第２分割体５６寄りの第１分割体５４箇所に設けられた把手６０を引けばよい。第２分割体５６の自由端に、ドア３０を開く際に押す旨の表示を設けるなど任意である。
ドア３０により出入口２０を閉塞した状態で、第１壁部５０の内面とドア３０の内面と第２壁部５２の内面により化粧室１２内の正面が構成される。
また、ドア３０により出入口２０を閉塞した状態で、第１壁部５０の外面とドア３０の外面と第２壁部５２の外面とにより化粧室ユニット１０の正面が構成され、ドア３０の幅は、正面の幅の６割程度を占めている。
【００１３】
本実施の形態によれば、ドア３０が化粧室１２の外側に凸状の円筒面であることから、ドア３０が平坦な従来の化粧室１２に、ドア３０の内側で上下に延在する円弧状のスペースが加えられることになり、化粧室１２内部が狭いという感じを緩和させることができる。
また、本発明では、従来の平坦なドア３０に比べて本発明ではドア３０が突出するものの、幅方向の中央部が緩やかに突出する円筒面状であるため、ドア３０付近を通る人に圧迫感を与えることがない。
また、本発明では、化粧室ユニット１０が設置される場所により化粧室ユニット１０の正面の前方が狭いスペースとなっていた場合でも、ドア３０は円筒面状であることから、ドア３０に接触したとしてもドア３０に突っかかることなくスムーズに通り抜けることができる。
【００１４】
また、出入口２０の開放状態は、第２分割体５６に連結された第1分割体５４の部分が、正面壁２２に連結された第1分割体５４の部分の前方に変位し、第２分割体５６の内面が、第１分割体５４の内面に向かい合って近づくことで形成されるので、使用者は出入口２０が閉塞されている状態から、第１分割体５４の把手６０を引くことでドア３０を簡単に開けることができる他に、第２分割体５６の自由端を単に押すことでドア３０を簡単に開けることができる。
すなわち、従来の平坦な中折れ式のドア（特開２００２−１５４４８９）では一度引いてから押すなどの複雑な操作が必要であったのに対して、本実施の形態では第２分割体５６の自由端を単に押すという単純な操作によりドア３０を簡単に開けることができ、したがって、手のみならず肩などでもドア３０を簡単に開けることができる。
【００１５】
特に、本実施の形態では、第２分割体５６の幅を第１分割体５４の幅よりも大きくし、第２分割体５６の幅を第１分割体５４の幅の約２倍程度にしたので、小さい力で第２分割体５６の自由端を押すことでドア３０を開けることができる。
また、出入口２０が開放された状態で、第１分割体５４と第２分割体５６を化粧室１２の外側で折り畳むようにしたにも拘わらず、第２分割体５６の幅を第１分割体５４の幅よりも大きくし、第２分割体５６の幅を第１分割体５４の幅の約２倍程度にしたので、ドア３０の突出量を小さく抑えることができる。
【００１６】
また、図５に示すように、化粧室１２内で洗面台３４や鏡３８に向かい合った人は、左肩が円筒面状のドア３０の内側に臨むことから、本実施の形態で加えられた、ドア３０の内側で上下に延在する円弧状のスペースを有効に利用でき、化粧室を利用する人に、化粧室内部が狭いという感じを緩和させる上でより有利となる。
【００１７】
また、ドア３０の幅を、化粧室ユニット１０の正面の幅の６割程度にしたので、２つの化粧室ユニット１０を向かい合わせに並べた場合でも、一方の化粧室ユニット１０のドア３０の前方に、他方の化粧室ユニット１０の平坦な正面壁２２が位置し、他方の化粧室ユニット１０のドア３０の前方に、一方の化粧室ユニット１０の平坦な正面壁２２が位置し、２つの化粧室ユニット１０のドア３０どうしが対向することがない。
従って、本実施の形態によれば、２つの化粧室ユニット１０を向かい合わせて設置する場合であっても、２つの化粧室ユニット１０の正面の間に通行するためのスペースを確保する上で有利となる。
【００１８】
なお、上面壁１８に、第２分割体５６の幅方向の中央の上端を案内するレールを設け、ドア３０の開閉をより円滑に行なわせるなど、任意である。
また、第１分割体５４と第２分割体５６が連結された箇所に、それら第１分割体５４と第２分割体５６とが互いに離れる方向に付勢する（ドア３０を閉じる方向に付勢する）スプリングを設け、出入口２０を閉じる直前からドア３０の閉塞速度を減速するロータリー式のオイルダンパーを設けるなど任意である。
【００１９】
また、本実施の形態では、航空機の機内に設置される化粧室ユニット１０に本発明を適用した場合について説明したが、本発明の化粧室ユニット１０は、船、鉄道車両、ホテル、劇場など航空機の機内以外の箇所に設置される場合にも広く適用される。
【図面の簡単な説明】
【００２０】
【図１】出入口が閉塞された状態の化粧室ユニットの斜視図である。
【図２】出入口が開放された状態の化粧室ユニットの斜視図である。
【図３】出入口が閉塞された状態の出入口部分の平面図である。
【図４】出入口が開放された状態の出入口部分の平面図である。
【図５】出入口が閉塞された状態の化粧室ユニットの平面図である。
【符号の説明】
【００２１】
１０……化粧室ユニット、１２……化粧室、１４……化粧室躯体、２０……出入口、２２……正面壁、３０……ドア、５０……第１壁部、５２……第２壁部、５４……第１分割体、５６……第２分割体。
【図１】
0004862811.tif 000002
【図２】
0004862811.tif 000003
【図３】
0004862811.tif 000004
【図４】
0004862811.tif 000005
【図５】
0004862811.tif 000006